(57)【特許請求の範囲】
【請求項１】
略矩形断面を有するガスタービン燃焼器の燃焼筒出口に生じる溶接後の歪み修正に用いられる燃焼筒出口の歪み修正治具であって、
前記燃焼筒出口の形状より大きい相似形とした治具本体と、該治具本体の外側から内側へ向けてねじ込まれるボルトとを備え、
前記燃焼筒出口の内部に設置されたジャッキにより前記歪み修正をする際、前記燃焼筒出口の外側から前記ボルトを押圧するようにして取り付けられることを特徴とする燃焼筒出口の歪み修正治具。
【発明の詳細な説明】
【技術分野】
【０００１】
本発明は、ガスタービン燃焼器の燃焼筒製造時に用いられる燃焼筒出口の歪み修正治具に関する。
【背景技術】
【０００２】
ガスタービンを構成する燃焼器は、たとえば下記の特許文献１及び２に示すように、燃焼筒と呼ばれる金属製の円筒形状部品を備えている。この燃焼筒は、たとえば図３及び図４に示すように、１または複数の板材を溶接して所望の筒形状とすることから、溶接時の熱影響を受けて生じる歪み（熱変形）の修正作業が必要となる。
【０００３】
このような燃焼筒の歪みの修正作業は、特に略矩形断面形状となる燃焼筒出口側形状の修正作業は、溶接線近傍が内側に収縮する変形となるため、燃焼筒の内部に設置したジャッキを用いて断面形状を手直しすることが行われている。すなわち、溶接線近傍で熱収縮した部分の周辺をジャッキにより押し広げ、所望の断面形状に修復する作業が行われている。
【先行技術文献】
【特許文献】
【０００４】
【特許文献１】特開２００６−２８４１２７号公報
【特許文献２】特開２０１０−２６１３１８号公報
【発明の概要】
【発明が解決しようとする課題】
【０００５】
ところで、従来のジャッキによる歪みの修正作業は、燃焼筒出口側となる燃焼筒内部にジャッキを設置し、溶接による熱影響を受けて収縮した変形箇所を外向きに押し広げるものである。このとき、燃焼筒の外側は自由な状況にあるため、内側から押圧するジャッキの力により燃焼筒出口の断面（間口）形状が変化し、所望の修正個所を思うように修正できないという問題があった。
【０００６】
すなわち、ジャッキの力を受けた燃焼筒出口の断面形状は、外向きに広がる方向へ変化することになるため、修正が必要な位置に集中してジャッキ力を作用させることは困難である。この結果、従来の修正作業は、修正完了までに多くの作業時間を要しているため、改善が望まれている。
本発明は、上記の課題を解決するためになされたもので、その目的とするところは、ジャッキによる燃焼筒出口の歪み修正作業に使用でき、修正作業に要する作業時間を短縮できる燃焼筒出口の歪み修正治具を提供することにある。
【課題を解決するための手段】
【０００７】
本発明は、上記の課題を解決するため、下記の手段を採用した。
本発明に係る燃焼筒出口の歪み修正治具は、略矩形断面を有するガスタービン燃焼器の燃焼筒出口に生じる溶接後の歪み修正に用いられる燃焼筒出口の歪み修正治具であって、前記燃焼筒出口の形状より大きい相似形とした治具本体と、該治具本体の外側から内側へ向けてねじ込まれるボルトとを備え、前記燃焼筒出口の内部に設置されたジャッキにより前記歪み修正をする際、前記燃焼筒出口の外側から前記ボルトを押圧するようにして取り付けられることを特徴とするものである。
【０００８】
このような燃焼筒出口の歪み修正治具によれば、燃焼筒出口形状より大きい相似形とした治具本体と、治具本体の外側から内側へ向けてねじ込まれるボルトとを備え、燃焼筒出口の内部に設置されたジャッキにより歪み修正をする際、燃焼筒出口の外側からボルトを押圧するようにして取り付けられるため、外向きに作用するジャッキの押圧力が分散しないように燃焼筒出口を外側からボルトで押さえて修正作業を実施できる。このような修正作業は、実質的には燃焼筒製造時に溶接する溶接線近傍が熱影響を受けて歪んだ部分を修正するものであるから、治具本体を高剛性とした歪み修正治具のボルトが溶接線近傍に位置するように配置しておくことが望ましい。
【発明の効果】
【０００９】
上述した本発明によれば、ジャッキによる燃焼筒出口の歪み修正作業時に燃焼筒の出口外周に取り付けて使用すると、燃焼筒の外周面に当接したボルトがジャッキによる内側からの押圧力を受けるため、ジャッキの力により燃焼筒出口の断面形状が広がる方向に変化することを防止できるようになり、従って、溶接の熱影響による歪みの修正作業を短時間で実施できるようになる。
【図面の簡単な説明】
【００１０】
【図１】本発明に係る燃焼筒出口の歪み修正治具の一実施形態を示す図で、歪み修正時の状態を燃焼筒出口側から見た正面図である。
【図２】図１に示した燃焼筒の出口側側面図である。
【図３】ガスタービン燃焼器の燃焼筒外観を示す斜視図である。
【図４】ガスタービン燃焼器の燃焼筒を示す分解斜視図である。
【発明を実施するための形態】
【００１１】
以下、本発明に係る燃焼筒出口の歪み修正治具について、その一実施形態を図面に基づいて説明する。
図１及び図２に示す実施形態の燃焼筒出口の歪み修正治具１０は、略矩形断面を有するガスタービン燃焼器の燃焼筒出口に生じる溶接後の歪み修正に用いられる治具である。すなわち、ガスタービン燃焼器を構成する燃焼筒１は、たとえば図３に示すように、筒状に形成された部材である。
【００１２】
図示の燃焼筒１は、４枚の板材１ａ，１ｂ，１ｃ，１ｄを溶接して筒状にしたもので、略矩形状の燃焼筒出口２側には、溶接作業による熱変形の歪みが生じる。この歪みは、熱影響が大きい溶接線３の近傍に生じて略矩形の出口形状を収縮させる。
なお、上述した燃焼筒１は、図示の構成例に限定されることはなく、その大きさ等に応じて１または複数枚の板材を溶接した構造の筒状としてもよく、従って、燃焼筒１に溶接線３がなくなることはない。
【００１３】
そこで、上述した出口形状の収縮による変形をジャッキ２０により押し広げて修正するため、燃焼筒１の出口側外周に対して、すなわち、燃焼筒出口２の外周に対して、歪み修正治具（以下、「修正治具」と呼ぶ）１０が取り付けられる。なお、この場合の燃焼筒出口２は、尾筒と呼ばれることもある。
この修正治具１０は、燃焼筒１の出口形状より大きい相似形とした治具本体１１と、治具本体１１の外側から内側へ向けてねじ込まれるボルト１２とを備えている。
【００１４】
治具本体１１は、燃焼筒１の出口形状より大きな相似形を有する略矩形のリング形状とされ、たとえば鋳鉄等の高剛性を有する金属製とされる。この治具本体１１には、ボルト１２を燃焼筒１の外周面に向けてねじ込むため、ボルト穴１３が設けられている。このボルト穴１３には内ねじが形成されており、治具本体１１にねじ込んだボルト１２のねじ部と螺合するようになっている。
【００１５】
図示の修正治具１０は、４枚の板材を溶接して４本の溶接線３が形成される筒状部材１に適用する場合の構成例であり、各溶接線３は、いずれも略矩形断面の角部近傍に存在している。このため、４箇所の角部近傍に各々２本配設された合計８本のボルト１２と、燃焼筒出口２の矩形断面形状で最も長い辺となる上面側の中央付近に配設された１本のボルト１２とを加えた合計９本が用いられている。
【００１６】
このように構成された修正治具１０は、燃焼筒出口２の内部に設置されたジャッキ２０により歪み修正の作業をする際、燃焼筒出口２が開口する外側からボルト１２を押圧するようにして取り付けられる。すなわち、各ボルト１２の先端部は、燃焼筒出口２の外周面に当接した状態に取り付けられるので、燃焼筒出口２を外側から保持するようにして固定されている。また、燃焼筒出口２の外周面に当接するボルト１２は、上面側の中央付近に配設された１本を除いて、いずれも熱影響を受ける溶接線３の近傍に配設されている。
【００１７】
この結果、燃焼筒出口２の熱変形部を外向きに押し広げて形状を修正するため、すなわち、熱収縮した熱変形部の板材をジャッキ２０の押圧力により外向きに押し広げる修正作業を行うため、修正位置にジャッキ２０を設置し、外向きに作用するジャッキ２０の押圧力が分散しないように、燃焼筒出口２を外側からボルト１２で押さえて修正作業を実施できる。
このような修正作業は、実質的には燃焼筒製造時に溶接する溶接線３の近傍が熱影響を受けて歪んだ部分を修正するものであるから、治具本体１１を高剛性とした修正治具１０のボルト１２が溶接線３の近傍に位置するように配置されることにより、修正部を直接押さえて押圧力の分散を確実に防止することができる。
【００１８】
また、螺合量を調節してボルト１２の先端と燃焼筒出口２の外周面との間に所望の間隔を設定すれば、すなわち、押し広げて修正したい燃焼筒出口２の外周面位置にボルト１２の先端を位置させておけば、燃焼筒出口２の出口部が正常な形状位置までジャッキ２０によって押し広げられることにより、外周面がボルト１２の先端面に当接して修正完了となるので、必要以上に押し広げるような変形修正の行き過ぎを防止できる。
【００１９】
このように、上述した本実施形態よれば、ジャッキ２０による燃焼筒出口２の歪み修正作業時において、燃焼筒１の出口外周に修正治具１０を取り付けて使用すると、燃焼筒１の外周面に当接したボルト１２がジャッキ２０による内側からの押圧力を受けるため、ジャッキ２０の力によって燃焼筒出口２の断面形状が所定の形状以外に変化することを防止でき、従って、溶接の熱影響による歪みの修正作業を短時間で実施できるようになる。
なお、本発明は上述した実施形態に限定されることはなく、その要旨を逸脱しない範囲内において適宜変更することができる。
【符号の説明】
【００２０】
１    燃焼筒
２    燃焼筒出口
３    溶接線
１０    歪み修正治具
１１    治具本体
１２    ボルト
１３    ボルト穴
【図１】
0005665605.tif 000002
【図２】
0005665605.tif 000003
【図３】
0005665605.tif 000004
【図４】
0005665605.tif 000005